(57)【特許請求の範囲】
【請求項１】
段階的な最大電流値を示す複数のクラスに分類された複数の契約アンペアのうち現在の電灯契約がなされている現在契約アンペア情報と、前記現在契約アンペア情報よりも最大電流値が低いクラスであって、使用電力の目標値となる目標契約アンペア情報と、電力センサーによって計測された建物の単位時間ごとの電流値と、を記憶する記憶部と、
前記記憶部に記憶された前記電流値のうち前記目標契約アンペア情報の値を超えた電流値を判定して、その回数を計算する判定部と、
前記目標契約アンペア情報の値を超えた電流値の回数情報を表示する画面を生成する画面生成部と、
前記画面生成部によって生成された画面のデータを外部装置に送信する送信部と、を備えており、
前記記憶部は、前記回数情報を記憶し、
前記画面生成部は、特定期間分の前記回数情報を累積した形態で表示する画面を生成するものとし、前記累積した形態で表示される前記回数情報には前記現在契約アンペア情報の値を超えた分も含まれていることを特徴とする電力管理システム。
【請求項２】
請求項１に記載の電力管理システムにおいて、
前記画面生成部は、前記回数情報のうち前記目標契約アンペア情報の値を超えた電流値の一回分を一つのブロックで表し、前記特定期間中の前記ブロックを単位時間ごとに積み上げる形態で表示する画面を生成することを特徴とする電力管理システム。
【請求項３】
請求項２に記載の電力管理システムにおいて、
前記画面生成部は、単位時間ごとに積み上げられた前記ブロックのうち、前記目標契約アンペア情報の値を超えた分の前記ブロックと、前記現在契約アンペア情報の値を超えた分の前記ブロックを異なる意匠で表す画面を生成することを特徴とする電力管理システム。
【請求項４】
段階的な最大電流値を示す複数のクラスに分類された複数の契約アンペアのうち現在の電灯契約がなされている現在契約アンペア情報と、前記現在契約アンペア情報よりも最大電流値が低いクラスであって、使用電力の目標値となる目標契約アンペア情報と、電力センサーによって計測された建物の単位時間ごとの電流値と、を記憶する記憶部と、
前記記憶部に記憶された前記電流値のうち前記目標契約アンペア情報の値を超えた電流値を判定して、その回数を計算する判定部と、
前記目標契約アンペア情報の値を超えた電流値の回数情報を表示する画面を生成する画面生成部と、
前記画面生成部によって生成された画面のデータを外部装置に送信する送信部と、
前記建物に設置された家庭内負荷の動作を制御する負荷制御部と、
前記建物に設置されて当該建物の温度及び湿度を計測する温湿度センサーの計測結果に基づいて熱中症リスク情報を導き出すリスク管理部と、を備えており、
前記画面生成部は、前記負荷制御部と通信可能に接続されており、前記目標契約アンペア情報の値を超える電流値の前記家庭内負荷の動作を操作する操作画面を生成可能とされており、
前記負荷制御部は、前記熱中症リスク情報の度合いに応じて、前記家庭内負荷の動作を制御することを特徴とする電力管理システム。
【請求項５】
請求項１〜４のいずれか一項に記載の電力管理システムにおいて、
前記回数情報には、前記目標契約アンペア情報の値を超えた各回の電流値に係る詳細情報が含まれており、
前記画面生成部は、前記詳細情報を表示する画面を生成可能に構成されていることを特徴とする電力管理システム。
【発明の詳細な説明】
【技術分野】
【０００１】
本発明は、電力管理システムに関する。
【背景技術】
【０００２】
一般に、電力の使用者（家庭等）は電力会社と電灯契約を結び、電力の供給を受ける対価として電力会社に電力料金を支払うようになっている。この電灯契約では、各使用者が使用できる最大電流値である「契約アンペア」が定められる。契約アンペアは、複数のクラスに分類されており、クラスごとに基本料金が定められている。そのため、使用電力を節約して料金を抑えたいという要望が日常的にある。
特許文献１には、継続的に検出される電流値のうちの最大電流値を保持し、この保持されている内容を、電灯契約がなされている契約アンペアと比較可能に表示器に表示する電流表示装置について記載されている。このような電流表示装置を用いることで、使用者は、表示器を見て、自身が使用した最大電流値と自身が電灯契約している契約アンペアを直ちに知ることができるので、使用者は自己に最適な契約アンペアを認識でき、電灯契約の内容を変更できるようになっている。
【先行技術文献】
【特許文献】
【０００３】
【特許文献１】特開２００２−２８６７６７号公報
【発明の概要】
【発明が解決しようとする課題】
【０００４】
しかしながら、電力の使用量は、使用者の生活を反映しており、電力が使用される場所や時間によってバラつきがある。そのため、単に、最大電流値と契約アンペアとを比較して確認しただけでは、電力の使用量を実際に節約できているかどうかが不明である。すなわち、例えば最大電流値と契約アンペアとが同じで、最適な使用量だと判断できても、最大電流値の電力を一日に何度も使用していれば料金を抑えることは困難である。
また、例えば一ヶ月の電力の総使用量や一日平均の使用電力を確認しても、どの程度の電力を節約すればよいのか認識しづらいという問題があった。
【０００５】
本発明は上記事情に鑑みてなされたものであり、電力使用状況を把握しやすくし、使用電力を容易に節約することが可能な電力管理システムを提供することを目的とする。
【課題を解決するための手段】
【０００６】
請求項１に記載の発明は、電力管理システムであって、例えば図１〜図７に示すように、段階的な最大電流値を示す複数のクラスに分類された複数の契約アンペアのうち現在の電灯契約がなされている現在契約アンペア情報と、前記現在契約アンペア情報よりも最大電流値が低いクラスであって、使用電力の目標値となる目標契約アンペア情報と、電力センサー５ａによって計測された建物１の単位時間ごとの電流値と、を記憶する記憶部（記憶部２ｂ）と、
前記記憶部２ｂに記憶された前記電流値のうち前記目標契約アンペア情報の値を超えた電流値を判定して、その回数を計算する判定部（サーバ本体２ａ）と、
前記目標契約アンペア情報の値を超えた電流値の回数情報（ブロック２０，２１）を表示する画面を生成する画面生成部（サーバ本体２ａ）と、
前記画面生成部によって生成された画面のデータを外部装置（例えば端末装置１０）に送信する送信部（サーバ本体２ａ）と、を備えており、
前記記憶部２ｂは、前記回数情報２０，２１を記憶し、
前記画面生成部は、特定期間分の前記回数情報２０，２１を累積した形態で表示する画面を生成するものとし、前記累積した形態で表示される前記回数情報２０，２１には前記現在契約アンペア情報の値を超えた分も含まれていることを特徴とする。
【０００７】
請求項１に記載の発明によれば、記憶部２ｂに記憶された電流値のうち目標契約アンペア情報の値を超えた電流値を判定して、その回数を計算する判定部２ａと、目標契約アンペア情報の値を超えた電流値の回数情報を表示する画面を生成する画面生成部と、を備えるので、目標契約アンペア情報の値を超えた単位時間ごとの電流値を、生成された画面を外部装置で見て容易に把握することができる。これにより、一日のうち、どの時間の使用電力が多いかを判別することができるので、該当する時間における建物１の電力使用状況を改善しやすく、使用電力を容易に節約することができる。
【０００９】
また、画面生成部が、特定期間分の回数情報２０，２１を累積した形態で表示する画面を生成するので、特定期間（例えば一ヶ月）を通じて、どの時間の使用電力が多いかを、生成された画面を見て容易に判別することができる。そして、このように特定期間を通じて表示される回数情報２０，２１であるため、情報の信頼性を高めることができる。
【００１１】
さらに、累積した形態で表示される回数情報２０，２１には現在契約アンペア情報の値を超えた分も含まれているので、電力の使用者は、現在の自身の電力使用状況の良し悪しを把握することができる。
【００１２】
請求項２に記載の発明は、例えば図２に示すように、請求項１に記載の電力管理システムにおいて、
前記画面生成部は、前記回数情報２０，２１のうち前記目標契約アンペア情報の値を超えた電流値の一回分を一つのブロック２０，２１で表し、前記特定期間中の前記ブロック２０，２１を単位時間ごとに積み上げる形態で表示する画面を生成することを特徴とする。
【００１３】
請求項２に記載の発明によれば、画面生成部は、回数情報２０，２１のうち目標契約アンペア情報の値を超えた電流値の一回分を一つのブロック２０，２１で表し、特定期間中のブロック２０，２１を単位時間ごとに積み上げる形態で表示する画面を生成するので、生成された画面では、目標契約アンペア情報の値を超えた電流値を表すブロック２０，２１が単位時間ごとに積み上がることとなる。したがって、電力の使用者は、生成された画面を見て、特定期間中の単位時間ごとの電流値を容易に把握することができる。
【００１４】
請求項３に記載の発明は、例えば図２に示すように、請求項２に記載の電力管理システムにおいて、
前記画面生成部は、単位時間ごとに積み上げられた前記ブロック２０，２１のうち、前記目標契約アンペア情報の値を超えた分の前記ブロック２０と、前記現在契約アンペア情報の値を超えた分の前記ブロック２１を異なる意匠で表す画面を生成することを特徴とする。
【００１５】
請求項３に記載の発明によれば、画面生成部は、単位時間ごとに積み上げられたブロック２０，２１のうち、目標契約アンペア情報の値を超えた分のブロック２０と、現在契約アンペア情報の値を超えた分のブロック２１を異なる意匠で表す画面を生成するので、目標契約アンペア情報の値を超えた分の電流値と、現在契約アンペア情報の値を超えた分の電流値を区別して把握することができる。
【００１６】
請求項４に記載の発明は、例えば図１，図６に示すように、段階的な最大電流値を示す複数のクラスに分類された複数の契約アンペアのうち現在の電灯契約がなされている現在契約アンペア情報と、前記現在契約アンペア情報よりも最大電流値が低いクラスであって、使用電力の目標値となる目標契約アンペア情報と、電力センサー５ａによって計測された建物１の単位時間ごとの電流値と、を記憶する記憶部（記憶部２ｂ）と、
前記記憶部２ｂに記憶された前記電流値のうち前記目標契約アンペア情報の値を超えた電流値を判定して、その回数を計算する判定部（サーバ本体２ａ）と、
前記目標契約アンペア情報の値を超えた電流値の回数情報（ブロック２０，２１）を表示する画面を生成する画面生成部（サーバ本体２ａ）と、
前記画面生成部によって生成された画面のデータを外部装置（例えば端末装置１０）に送信する送信部（サーバ本体２ａ）と、
前記建物１に設置された家庭内負荷６，７の動作を制御する負荷制御部（サーバ本体２ａ）と、
前記建物１に設置されて当該建物１の温度及び湿度を計測する温湿度センサー８ａの計測結果に基づいて熱中症リスク情報を導き出すリスク管理部（サーバ本体２ａ）と、を備えており、
前記画面生成部は、前記負荷制御部２ａと通信可能に接続されており、前記目標契約アンペア情報の値を超える電流値の前記家庭内負荷６，７の動作を操作する操作画面を生成可能とされており、
前記負荷制御部２ａは、前記熱中症リスク情報の度合いに応じて、前記家庭内負荷６，７の動作を制御することを特徴とする。
【００１７】
請求項４に記載の発明によれば、記憶部２ｂに記憶された電流値のうち目標契約アンペア情報の値を超えた電流値を判定して、その回数を計算する判定部２ａと、目標契約アンペア情報の値を超えた電流値の回数情報を表示する画面を生成する画面生成部と、を備えるので、目標契約アンペア情報の値を超えた単位時間ごとの電流値を、生成された画面を外部装置で見て容易に把握することができる。これにより、一日のうち、どの時間の使用電力が多いかを判別することができるので、該当する時間における建物１の電力使用状況を改善しやすく、使用電力を容易に節約することができる。
また、画面生成部が、家庭内負荷６，７の動作を制御する負荷制御部２ａと通信可能に接続されており、目標契約アンペア情報の値を超える電流値の家庭内負荷６，７の動作を操作する操作画面を生成可能とされているので、生成された操作画面を通じて、家庭内負荷６，７の動作を操作制御することによって、使用電力を容易に節約することができる。
また、負荷制御部２ａが、リスク管理部２ａによって導き出された熱中症リスク情報の度合いに応じて、家庭内負荷６，７の動作を制御するので、熱中症リスク情報の度合いが高い場合には、家庭内負荷６，７の動作をむやみに止めてしまったり、誤操作してしまったりすることを防ぐことができる。または、熱中症リスク情報の度合いが高いにも拘らずエアコン等の家庭内負荷６，７が動作していない場合には、エアコン等の家庭内負荷６，７を動作させることができる。これにより、建物１にいる人の熱中症リスクを低減することができる。
さらに、熱中症リスク情報の度合いが低い場合には、負荷制御部２ａによって家庭内負荷６，７の動作を制御することで、使用電力を容易に節約することができる。
【００１８】
請求項５に記載の発明は、例えば図２〜図５に示すように、請求項１〜４のいずれか一項に記載の電力管理システムにおいて、
前記回数情報２０，２１には、前記目標契約アンペア情報の値を超えた各回の電流値に係る詳細情報が含まれており、
前記画面生成部は、前記詳細情報を表示する画面を生成可能に構成されていることを特徴とする。
【００１９】
請求項５に記載の発明によれば、画面生成部は、目標契約アンペア情報の値を超えた各回の電流値に係る詳細情報を表示する画面を生成可能に構成されているので、電力の使用者は、目標契約アンペア情報の値を超えた各回の電流値をより詳細に把握することができる。
【発明の効果】
【００２２】
本発明によれば、建物の電力使用状況を把握しやすくし、使用電力を容易に節約することができる。
【図面の簡単な説明】
【００２３】
【図１】電力管理システムの概略を示す図である。
【図２】単位時間ごとの電流値を示すブロックが積み上げられてグラフ化された表示画面の一例を示す図である。
【図３】家庭内負荷が設けられた部屋ごとの使用電力を表示する表示画面の一例を示す図である。
【図４】エリアごとの使用電力を表示する表示画面の一例を示す図である。
【図５】家庭内負荷ごとの使用状況をスケジュール管理するための表示画面の一例を示す図である。
【図６】エリアごとの温湿度状況を表示する表示画面の一例を示す図である。
【図７】熱中症リスクに基づくアドバイス情報の一覧を示す図である。
【図８】外部装置の表示装置に表示される表示画面の変形例を示す図である。
【図９】外部装置の表示装置に表示される表示画面の変形例を示す図である。
【図１０】外部装置の表示装置に表示される表示画面の変形例を示す図である。
【図１１】外部装置の表示装置に表示される表示画面の変形例を示す図である。
【図１２】外部装置の表示装置に表示される表示画面の変形例を示す図である。
【図１３】外部装置の表示装置に表示される表示画面の変形例を示す図である。
【図１４】外部装置の表示装置に表示される表示画面の変形例を示す図である。
【図１５】外部装置の表示装置に表示される表示画面の変形例を示す図である。
【図１６】外部装置の表示装置に表示される表示画面の変形例を示す図である。
【図１７】外部装置の表示装置に表示される表示画面の変形例を示す図である。
【図１８】外部装置の表示装置に表示される表示画面の変形例を示す図である。
【図１９】外部装置の表示装置に表示される表示画面の変形例を示す図である。
【図２０】外部装置の表示装置に表示される表示画面の変形例を示す図である。
【図２１】外部装置の表示装置に表示される表示画面の変形例を示す図である。
【図２２】外部装置の表示装置に表示される表示画面の変形例を示す図である。
【発明を実施するための形態】
【００２４】
以下、図面を参照して本発明の実施の形態について説明する。ただし、以下に述べる実施形態には、本発明を実施するために技術的に好ましい種々の限定が付されているが、本発明の技術的範囲を以下の実施形態および図示例に限定するものではない。
【００２５】
図１は、住宅等の建物１における電力使用状況を把握して、使用電力の節約に貢献する電力管理システムの概略を示す図である。
本実施形態の電力管理システムは、建物１において電力を使用するユーザー（使用者又は居住者）が、使用電力の判定を行うための機能の一部を担う外部サーバ２との間で、インターネット等の通信ネットワーク３を介して各種情報のやり取りを行うことにより建物１の使用電力の判定等を行うことができるようになっている。また、水道やガスの流量計と通信可能に接続されることで、水道・ガスの使用量の確認や判定を行うことも可能となっている。
なお、建物１は、家屋そのものと、家屋が建築される敷地も含むものとする。
【００２６】
建物１内には、インターネット等の通信ネットワーク３に接続するホームゲートウェイ４と、建物１内に設けられた家庭内負荷６，７に電力を配電する分電盤５と、が設けられている。なお、分電盤５は、温湿度センサー８ａ、水道の流量計８ｂ、ガスの流量計８ｃに電力を配電してもよい。
【００２７】
ホームゲートウェイ４は、プロバイダへの接続設定等を作成したりするルーター機能と、Ｗｉ−Ｆｉ接続可能になる無線ＬＡＮ機能と、電話機やＦＡＸを繋いで音声通話やＦＡＸの送受信を行うＶｏＩＰゲートウェイ電話網とＩＰネットワークの間の中継を行う機能と、光回線の回線終端装置としての機能と、を併せ持つ装置を指す。
また、本実施形態においては、上記機能を併せ持つ、いわゆるルーター機能付きモデムをホームゲートウェイ４として使用するが、これに限られるものではなく、上記した機能を有するルーターやハブ等の各種機器をそれぞれ用いてホームゲートウェイ４を構築するようにしてもよい。
さらに、ホームゲートウェイ４は、本実施形態における電力管理システムを実現する上で必要な演算手段や通信手段、記憶手段等を適宜備えるものとしてもよい。このような構成とすることにより、ホームゲートウェイ４によって、建物１内の各種機器やセンサー等の使用状況に係るデータを収集したり、収集したデータを分析したり、その分析結果に基づいて建物１内の各種機器の制御を行ったりすることができる。
すなわち、ホームゲートウェイ４は、単にルーターやハブ等の機能を有して外部装置との連携により本実施形態における電力管理システムを構築してもよいし、ホームゲートウェイ４に必要な機能を持たせて、外部装置との連携を行わずに本実施形態における電力管理システムを構築してもよく、外部装置との連携の度合いも適宜変更してもよい。
【００２８】
分電盤５は、電力会社の商用配電線網（系統電力網）から供給される電力を、ホームゲートウェイ４、家庭内負荷６，７に配電しており、電流値（配電先への電力の供給量）を計測する電力センサー５ａを有する。
また、分電盤５には、図示はしないが、契約アンペアを超えて電流が流れた場合に電力の供給を止めるアンペアブレーカーと、漏電時に電力の供給を止める漏電遮断器と、各部屋に電力供給する分岐回路で規定以上の電流が流れた場合に電力の供給を止める配線用遮断器と、を有する。
なお、本実施形態においては、図示はしないが、分電盤５は２台設置されているものとする。
【００２９】
ユーザーは、電力会社と電灯契約を結び、電力の供給を受ける対価として電力会社に電力料金を支払うようになっている。この電灯契約では、各使用者が使用できる最大電流値である「契約アンペア」が定められる。契約アンペアは、複数のクラスに分類されており、クラスごとに基本料金が定められている。契約アンペアは、一般的に１０Ａ（アンペア）、１５Ａ、２０Ａ、３０Ａ、４０Ａ、５０Ａ、６０Ａの７段階にクラス分けされている。
本実施形態において、ユーザーは、契約アンペアが４０Ａの電灯契約を電力会社と結んでいるものとする。このような情報を、以下、現在契約アンペア情報と称する。
【００３０】
なお、契約アンペアを超えて電流が流れた場合には、アンペアブレーカーが落ちて電力の供給が止まるようになっているが、契約アンペアを多少超えてもすぐにはアンペアブレーカーが落ちないように設定されている場合がある。すなわち、契約アンペアが「４０Ａ」で、実際の電流値が４０Ａを超えたとしても、アンペアブレーカーが落ちずに、ある程度までは許容される場合がある。その許容範囲は、例えば１２０％とされており、契約アンペアが「４０Ａ」の場合は、「４８Ａ」まで許容されることになる。
【００３１】
家庭内負荷６は、建物１において使用される家電製品を指し、説明の便宜上、図１では一つの家庭内負荷６だけを表しているが、建物１では複数の家電製品が使用されている。本実施形態において、家庭内負荷６は、これら複数の家電製品を指しているものとする。
【００３２】
家庭内負荷７は、建物１に搭載された設備機器を指し、説明の便宜上、図１では一つの家庭内負荷７だけを表しているが、建物１では複数の設備機器が使用されている。設備機器としては、例えば電気、ガス、水道等のインフラ設備に係る機器や、情報通信設備に係る機器等のうち、電力を使用するものが挙げられる。
【００３３】
温湿度センサー８ａは、建物１の内外に複数設けられており、建物１の内外の温度及び湿度を計測する。この温湿度センサー８ａは、内蔵電池で動作するようになっているが、分電盤５やその他の電源（例えば太陽光発電装置）からの電力供給を受けることも可能であり、日常的に建物１内外の温度及び湿度の計測することができる。
【００３４】
水道の流量計８ｂは、水道メーターに内蔵されて設けられたものであり、建物１における水道の使用量を計測する。本実施形態における流量計８ｂは、内蔵電池で動作するようになっているが、分電盤５やその他の電源（例えば太陽光発電装置）からの電力供給を受けることも可能であり、日常的に建物１の水道使用量を計測することができる。
【００３５】
ガスの流量計８ｃは、ガスメーターに内蔵されて設けられたものであり、建物１におけるガスの使用量を計測する。本実施形態における流量計８ｃは、内蔵電池で動作するようになっているが、分電盤５やその他の電源（例えば太陽光発電装置）からの電力供給を受けることも可能であり、日常的に建物１のガス使用量を計測することができる。
【００３６】
本実施形態においては、建物１に設けられた各種の設備であるホームゲートウェイ４と、分電盤５と、家庭内負荷６，７と、温湿度センサー８ａと、水道の流量計８ｂと、ガスの流量計８ｃとが、通信線９ａによって互いに接続されている。
通信線９ａは、ホームゲートウェイ４に対して、分電盤５、家庭内負荷６，７を通信可能に接続するためのものであり、図１中においては有線化して表現されているものの、無線であってもよい。なお、本実施形態においては、ホームゲートウェイ４と、電力センサー５ａ及び家庭内負荷６，７は、有線（通信線９ａ）により情報通信可能に接続されており、ホームゲートウェイ４と温湿度センサー８ａ、流量計８ｂ，８ｃは、無線により情報通信可能に接続されている。要するに、ホームゲートウェイ４に対して、分電盤５、家庭内負荷６，７、温湿度センサー８ａ、流量計８ｂ，８ｃは、情報通信可能に接続されていればよく、有線か無線のいずれか一方には限定されない。これにより、建物１内の情報は、ホームゲートウェイ４に集約され、外部サーバ２から送信された情報は、ホームゲートウェイ４から各種の設備に伝送されるようになっている。つまり、建物１の内部の情報と外部の情報は、ホームゲートウェイ４を介して送受信可能となっている。
また、建物１に設けられた各種の設備であるホームゲートウェイ４と、分電盤５と、家庭内負荷６，７は、電源線９ｂによって互いに接続されている。より詳細に説明すると、電源線９ｂは、系統電力網から供給された電力を分電盤５から、各種の設備であるホームゲートウェイ４と、家庭内負荷６，７に配電するための線であり、図１中においては破線によって表されている。
【００３７】
ユーザーは、外部サーバ２が担う使用電力の判定を行う機能の一部を利用するための端末装置１０を所持している。
端末装置１０は、ホームゲートウェイ４によって無線又は有線によって通信ネットワーク３に接続可能とされているが、ホームゲートウェイ４を介さずに通信ネットワーク３に接続可能とされていてもよい。
【００３８】
また、端末装置１０は、電力管理システムに対して通信可能に接続された外部装置であり、具体的には、表示装置、入力装置、記憶装置及びマイクロプロセッサー等を有するコンピューターである。より具体的には、端末装置１０として、携帯電話機（例えば、スマートフォン、フューチャーフォン）、ＰＤＡ（Personal Digital Assistant）、デスクトップ型パーソナルコンピューター、ラップトップ型パーソナルコンピューター（ノート型パーソナルコンピューター）、パームトップ型パーソナルコンピューター、タブレット型パーソナルコンピューター等を利用することができる。
この端末装置１０における表示装置は、ＬＣＤ（Liquid Crystal Display）や有機エレクトロルミネッセンス（ＯＥＬ：organic electro-luminescence）等によって構成されており、図２〜図６に示すように、サーバ本体２ａの表示制御に従って様々な情報を表示することができる。
本実施形態における端末装置１０は、主として、電力管理システムを利用して電力使用状況の把握及び使用電力の節約を行おうとするユーザーが所持するものであるが、これに限られるものではなく、建物１の建築に携わった建築業者を始め、電力会社、各種ネットワークサービスの提供会社等のいずれかが所有するものであってもよい。
なお、本実施形態においては、タブレット型パーソナルコンピューターが端末装置１０として用いられている。また、その他の端末装置を併用してもよいものとする。
タブレット型パーソナルコンピューターである端末装置１０は、タッチパネルを備えており、画面上の表示を押したり、スライドさせたりする等の動作を行うことで端末装置１０の操作を行うことができる。
【００３９】
外部サーバ２は、電力管理システム全体を機能させるためのものであり、本実施形態においては、建物１の建築に携わった建築業者を始め、電力会社、各種ネットワークサービスの提供会社等のいずれかが所有するものとするが、特に限定されるものではない。すなわち、特に何らかの事業者が所有するものでなくてもよく、個人が所有するものであってもよい。
【００４０】
また、外部サーバ２は、使用電力の判定等を行うためのサーバ本体２ａと、使用電力の判定等を行うために必要な各種データ・各種プログラムを記憶する記憶部２ｂと、を含んで構成されている。また、外部サーバ２は、無線又は有線によって接続された管理端末２ｃによって情報管理・メンテナス等を行うことができるようになっている。
【００４１】
なお、外部サーバ２には、時計及びカレンダーとして機能する時計部（図示せず）が備わっており、この時計部によって、建物１の電力値を計測する際に、計測した時間も併せて判別することができる。すなわち、電流値のデータと日時情報とを対応付けることによって、建物１の単位時間ごとの電流値を把握することができるとともに、月次データや年次データ等も容易に導き出すことができる。
なお、本実施形態の電力管理システムにおいては、単位時間ごとの電流値を把握することができるが、以下、単位時間は一時間として説明する。
【００４２】
本実施形態の電力管理システムは、以上のような、建物１に設けられた各種の設備（ホームゲートウェイ４、分電盤５、家庭内負荷６，７、温湿度センサー８ａ、流量計８ｂ，８ｃ等）と、外部サーバ２と、通信ネットワーク３と、を含むシステム構成とされており、使用電力の判定等を行うための機能として、記憶部と、判定部と、画面生成部と、送信部と、負荷制御部と、リスク管理部と、を備えるものとする。
【００４３】
記憶部は、外部サーバ２における記憶部２ｂによって構成されており、サーバ本体２ａにより実行される各種プログラムと、プログラムの実行に必要なデータを記憶している。
すなわち、記憶部２ｂには、使用電力の判定を行う判定プログラムや、各種の情報を表示する画面を生成するための画面生成プログラムを始めとする様々なプログラムが記憶されている。また、記憶部２ｂには、上記した現在契約アンペア情報（本実施形態においては４０Ａ。）と、当該現在契約アンペア情報よりも最大電流値が低いクラスであって、電流値の目標値となる目標契約アンペア情報（すなわち、３０Ａ。）と、電力センサー５ａによって計測された建物１（部屋ごと及びエリアごと）の単位時間ごとの電流値と、が記憶されている。
【００４４】
判定部は、外部サーバ２におけるサーバ本体２ａによって構成されている。サーバ本体２ａはシステム全体の動作を制御する制御部として機能し、記憶部２ｂに記憶された各種プログラムを実行することができる。
判定部を構成するサーバ本体２ａは、ＣＰＵ（Central Processing Unit）やＲＡＭ（Random Access Memory）等から構成され、記憶部２ｂに記憶されている各種プログラムとの協働により各種処理を実行する。
そして、例えば、サーバ本体２ａが制御部（判定部）として判定プログラムを実行することにより、記憶部２ｂに記憶された電流値の計測結果のうち目標契約アンペア情報の値（３０Ａ）を超えた電流値を判定して、その回数を計算することができる。詳細には、記憶部２ｂに記憶された単位時間ごとの電流値と目標契約アンペア情報の値（３０Ａ）とを比較し、目標契約アンペア情報の値（３０Ａ）を超えた時間帯を判定する。さらに、この時間帯のうち、午前１時である時間帯があるかを判定し、目標契約アンペア情報の値を超え、かつ午前１時である時間帯の回数が算出される。これを繰り返し、午後２４時までの時間帯ごとに目標契約アンペア情報の値（３０Ａ）を超えた回数が算出される。そして、これらの判定結果を記憶部２ｂに目標契約アンペア情報の値（３０Ａ）を超えた電流値の回数情報として記憶させる。その他にも、例えば電流値の計測結果を集計したり、取得した情報と日時情報とを対応付けしたり等、本実施形態における電力管理システムに必要な様々な処理を行うことができるようになっている。
なお、判定部によって、記憶部２ｂに記憶された電流値の計測結果のうち目標契約アンペア情報の値（３０Ａ）を超えた電流値を判定する場合に、単位時間（例えば１時間）のうち、複数回、目標契約アンペア情報の値（３０Ａ）を超えた場合は、その超えた回数分だけ回数情報として記憶部２ｂに記憶させるようにしてもよい。すなわち、単位時間内に、電流値が閾値（目標契約アンペア情報の値）を何回超えた場合であっても１回とカウントするパターンと、電流値が閾値を複数回超えた場合に、その回数をその都度カウントするカウントとするパターンとがあり、そのどちらを採用してもよいものとする。
【００４５】
画面生成部は、サーバ本体２ａと、記憶部２ｂに記憶された画面生成プログラムとの協働により、判定プログラムに基づく判定結果や、建物１内の電流値の計測結果を始めとする様々な情報を表示するために必要な、ウィンドウ、アイコン、ボタン、タブ、図、表、グラフ、テキスト、標識、模様といったオブジェクトが配置された画面を生成することができる。すなわち、画面生成部は、判定プログラムに基づく判定結果や、建物１内の電流値の計測結果を始めとする様々な情報を、外部装置である端末装置１０における表示装置に表示させるための表示データを生成するものである。
具体的な例を挙げると、画面生成部は、図２に示すように、目標契約アンペア情報の値（３０Ａ）を超えた電流値の回数情報を表示装置に表示するためのデータを生成することができる（後述する）。なお、記憶部２ｂは、目標契約アンペア情報の値（３０Ａ）を超えた電流値の回数情報を記憶することができる。
送信部は、画面生成部によって生成された画面のデータを、上述の端末装置１０を始めとする外部装置に送信するためのものである。
【００４６】
負荷制御部は、例えばエアコン等のような使用電力の多い家庭内負荷６，７の動作（オン・オフ・設定調整）を制御する処理を行うものであり、サーバ本体２ａによって、記憶部２ｂに記憶された負荷制御プログラムを実行することにより、建物１に設置された家庭内負荷６，７の動作を制御することができる。
そして、画面生成部は、負荷制御部を構成するサーバ本体２ａと通信可能に接続されており、目標契約アンペア情報の値（３０Ａ）を超える電流値の家庭内負荷６，７の動作を操作する操作画面を生成可能とされている（図４，図５参照）。
【００４７】
リスク管理部は、熱中症リスクに係る情報を導き出すための処理を行うものであり、温湿度センサー８ａの計測結果に基づいて、サーバ本体２ａによって、記憶部２ｂに記憶されたリスク管理プログラムを実行することにより、熱中症リスクに係る情報を導き出すことができる。
熱中症リスクに係る情報は、温湿度センサー８ａの計測結果と、記憶部２ｂに記憶された暑さ指数（後述する）とに基づいて導き出される。そして、上記した負荷制御部は、リスク管理部によって導き出された熱中症リスク情報の程度に応じて、家庭内負荷６，７の動作を制御できるようになっている。
【００４８】
続いて、図面を参照して、画面生成部によって生成されるとともに送信部によってデータが送信され、端末装置１０における表示装置の表示画面に表示される各種の画面と機能について説明する。すなわち、画面生成部は、上述の判定プログラムに基づく判定結果や、建物１内の電流値の計測結果を始めとする様々な情報を、外部装置である端末装置１０における表示装置に表示させるための表示データを生成することができる。送信部は、画像生成部によって生成された表示データを、外部装置である端末装置１０に送信することができる。そして、外部装置である端末装置１０は、自身が備える表示装置に、受信した表示データをもとにした表示画面を表示することができる。
なお、図示はしないが、端末装置１０における表示装置は、以下に説明する各種画面の他にも、トップ画面を表示することができる。トップ画面には、以下に説明する各種画面を始めとする様々な画面に移行するためのボタンが表示されている。
【００４９】
図２に示す表示画面は、端末装置１０における表示装置によって特定期間分の回数情報（目標契約アンペア情報の値を超えた回数）を累積した形態で表示したものである。なお、上記の特定期間は、本実施形態においては“月ごと（月次）”とする。ただし、これに限られるものではなく、年次でもよいし、直近一ヶ月でもよいし、一週間でもよいし、特定期間を任意に設定できるものとしてもよい。
なお、上記の特定期間分の回数情報には、現在の分を含むものとしてもよい。つまり、リアルタイムでの電流値が、目標契約アンペア情報の値を超えた場合には、それを回数情報として表示することができる。
また、累積した形態で表示された回数情報には現在契約アンペア情報（すなわち、４０Ａ）の値を超えた分も含まれている。
【００５０】
図２の表示画面について、より詳細に説明すると、端末装置１０における表示装置は、上記した回数情報のうち目標契約アンペア情報の値（３０Ａ）を超えた電流値の一回分を一つのブロック２０，２１で表し、特定期間中のブロック２０，２１を単位時間ごとに積み上げる形態で表示することができる。
すなわち、図２の表示画面では、一ヶ月分の電流値を計測した結果が表示されており、朝７時の時間帯（単位時間）は一ヶ月のうち４回、目標契約アンペア情報の値（３０Ａ）を超えたことが表されている。また、朝８時の時間帯は一ヶ月のうち５回、目標契約アンペア情報の値（３０Ａ）を超えたことが表されている。以下、同様に、朝９時は２回、夕方１７時は１回、夜１８時は３回、夜１９時は２回、となっている。
なお、上述のように、単位時間内に、電流値が閾値（目標契約アンペア情報の値）を何回超えた場合であっても１回とカウントするパターンと、電流値が閾値を複数回超えた場合に、その回数をその都度カウントするカウントとするパターンのうち、後者を採用した場合は、電流値が閾値を超えた回数分だけブロック２０が積み重なることになる。
【００５１】
また、表示画面に表示されたブロック２０，２１のうち、ブロック２０は、目標契約アンペア情報の値（３０Ａ）を超えた分の電流値であることを示し、ブロック２１は、現在契約アンペア情報の値（４０Ａ）を超えた分の電流値であることを示している。つまり、図２に示す例では、現在契約アンペア情報の値（４０Ａ）を超えた電流値の時間帯が、月に３回あったことを把握することができる。
【００５２】
単位時間ごとに積み上げられたブロック２０，２１のうち、目標契約アンペア情報の値（３０Ａ）を超えた分のブロック２０と、現在契約アンペア情報の値（４０Ａ）を超えた分のブロック２１は、異なる意匠で表されている。本実施形態においては、一方のブロック２０と他方のブロック２１とでは異なる色で表されているものとするが、これに限られるものではなく、異なる模様、異なる装飾、等で表されてもよい。すなわち、一方のブロック２０と他方のブロック２１とをユーザーが見比べた際に、その違いを容易に判別できればよいものとする。
【００５３】
そして、図２のような表示画面を見たユーザーは、朝食時と夕食時の使用電力が高いことが容易に把握できる。つまり、図２の表示画面は、ユーザーの日常生活を反映したものとなっているので、使用電力の節約に繋がるという利点がある。
このような表示画面はユーザー宅ごとに異なり、別のユーザーでは図２に示す例とは異なるブロック２０，２１の配置となる場合がある。
【００５４】
ブロック２０，２１には、目標契約アンペア情報の値（３０Ａ）を超えた各ブロック２０，２１の電流値に係る詳細情報が含まれている。さらに、各ブロック２０，２１は、選択操作を行うことができるようになっており、各ブロック２０，２１を選択することで、それぞれのブロック２０，２１の詳細情報を、表示画面に表示できるようになっている。
図２に示す表示画面においては、朝８時の一番上に積み上げられたブロック２１が選択され、吹き出し枠２２が表示された状態となっている。
吹き出し枠２２内には、詳細情報として、当該ブロック２１が生成された日時情報と、その時の電流値が表示されている。電流値の詳細情報として、図２においては、「アンペア  ４４Ａ」と表示されている。
【００５５】
さらに、吹き出し枠２２内には、現在又は過去の特定の日の使用電力を確認する画面に移行するためのボタン２３（使用状況確認ボタン２３）が表示されている。
ボタン２３を押すように操作することで、図３に示す画面又は図４に示す画面に移行することができる。
なお、図示はしないが、図３に示す画面又は図４に示す画面に移行する前に、図３に示す画面に移行するか、図４に示す画面に移行するかを選択する画面が表示されてもよい。
【００５６】
外部サーバ２の記憶部２ｂには、目標契約アンペア情報の値（３０Ａ）を超えた電流値の回数情報（すなわち、ブロック２０，２１の数）に応じたアドバイス情報が格納されている。アドバイス情報は、外部サーバ２から端末装置１０に送信され、端末装置１０から音声又は／及び文字によって出力される。
アドバイス情報には、契約アンペアを現在よりも下げることができる場合（目標契約アンペア情報の値を常に下回っていた場合）のものと、現在よりも下げることができない場合（目標契約アンペア情報の値を上回った値があった場合）のものとがあり、現在よりも下げることができない場合のものは、その回数に応じてアドバイス情報を送信するようになっている。
【００５７】
契約アンペアを現在よりも下げることができる場合のアドバイス情報には、一ヶ月目のものと、二ヶ月目のものと、三ヶ月目以降のものがある。その例を以下に示すが、これに限られるものではない。
一ヶ月目のアドバイス情報の一例：「今月は契約アンペアを超えることなく電気を使うことができました。契約アンペアの変更をお奨めします。」
二ヶ月目のアドバイス情報の一例：「今月も契約アンペアを超えることなく電気を使うことができました。契約アンペアの変更をお奨めします。」
三ヶ月目以降のアドバイス情報の一例：「三ヶ月連続で契約アンペアを超えることなく電気を使うことができました。契約アンペアの変更をお奨めします。」
【００５８】
契約アンペアを現在よりも下げることができない場合のアドバイス情報は、上記のように、その回数に応じて異なる。その例を以下に示すが、これに限られるものではない。
１〜５回の場合のアドバイス情報の一例：「もう少し頑張れば目標の契約アンペアを超えることなく電気を使うことができます。目標の契約アンペアを超えた日時を確認し、使い方を工夫することで契約アンペアを落とせるようチャレンジしてみましょう。」
６回以上の場合のアドバイス情報の一例：「現在の契約アンペアが最適です。」
【００５９】
なお、本実施形態においては、一ヶ月ごとにアドバイス情報を外部サーバ２から端末装置１０に送信するものとして説明したが、これに限られるものではない。例えば、毎日のアドバイス情報や、目標契約アンペア情報の値を超えた日のみのアドバイス情報、年間のアドバイス情報、部屋ごと又はエリアごとの使用電力に係るアドバイス情報等、様々なアドバイス情報を送信してもよいものとする。
また、アドバイス情報を外部サーバ２から受信するタイミングは、ユーザーによって任意に設定できるようにしてもよい。
【００６０】
なお、本実施形態においては、現在契約アンペア情報の値を４０Ａとし、これよりも一段階低い３０Ａを、目標契約アンペア情報の値としているが、上記したアンペアブレーカーの落ちない許容範囲を考慮せずに使用電力の節約を図りたい場合や、節約量をより多くしたい場合には、目標契約アンペア情報の値を、現在契約アンペア情報の値よりも二段階以上低くしてもよい。
【００６１】
また、本実施形態においては、目標契約アンペア情報の値を超えた電流値の一回分を一つのブロック２０，２１で表すものとしたが、これに限られるものではなく、本発明の趣旨を逸脱しない範囲で適宜変更可能である。すなわち、少なくとも、特定期間中の、目標契約アンペア情報の値を超えた電流値の回数が把握できればよいので、例えば「コイン」型の意匠を採用して、より節約を意識したものとしてもよいし、よりダイレクトに回数が分かるように数字で表してもよい。
【００６２】
図３は、現在又は過去の特定の日の、家庭内負荷６，７が設けられた部屋ごとの使用電力を表示する表示画面の一例を示す図である。
なお、現在の使用電力を表示する場合には、図３に示す画面に移行した時の情報が表示され、過去の特定の日の使用電力を表示する場合には、特定の日の単位時間ごとの情報を表示することができる。
本実施形態において、図３は、家庭内負荷６，７が設けられた部屋ごとの現在の使用電力が表示された画面となっている。
【００６３】
図３の表示画面について、より詳細に説明すると、画面左端には、建物１内の部屋名を並べて表示した領域２４がある。なお、家庭内負荷６であるエアコンについては、他の家庭内負荷６（家電製品）とは異なり、専用のコンセントが利用されるため、部屋名と併記されている。
また、部屋名の右隣には、部屋ごとの現在の使用電力を数字（ワット数）で表した項目を並べて表示した領域２５がある。
使用電力を数字で表した項目の右隣には、部屋ごとの現在の使用電力をグラフ（目盛り）で表した領域２６が表示されている。
なお、図３に示す数字（ワット数）及び目盛りは、説明の便宜上、下に行くごとに１００ワット（ｗ）分ずつ段階的に上がる表示となっている。
【００６４】
図３の表示画面における上端には、画面切り替え用のボタン２７，２８，２９，３０が左右に並んで表示されている。
ボタン２７を操作することで温湿度状況を確認する画面に移行することができ、ボタン２８を操作することで戸締まり状況を確認する画面に移行することができ、ボタン２９を操作することで家電利用状況を確認する画面に移行することができ、ボタン３０を操作することで他の画面から図３に示す画面に移行することができる。
図３に示す画面は、ボタン３０を操作して表示できる表示画面であるため、ボタン３０がアクティブな状態となっており、その他のボタン２７，２８，２９が非アクティブな状態となっている。
【００６５】
ボタン２７，２８の下には、建物１に設けられた２台の分電盤５のうち、一方の分電盤５が電力供給を担っている各部屋の情報と、他方の分電盤５が電力供給を担っている各部屋の情報と、を切り替えて表示するためのボタン３１，３２がある。
図３に示す画面は、ボタン３１を操作して表示できる表示画面であるため、ボタン３１がアクティブな状態となっており、ボタン３２が非アクティブな状態となっている。
【００６６】
図４は、エリアごとの使用電力を表示する表示画面の一例を示す図である。
なお、現在の使用電力を表示する場合には、図４に示す画面に移行した時の情報が表示され、過去の特定の日の使用電力を表示する場合には、特定の日の単位時間ごとの情報を表示することができる。
本実施形態において、図４は、エリアごとの現在の使用電力が表示された画面となっている。
【００６７】
図４の表示画面について、より詳細に説明すると、画面の大部分には、略矩形状に形成された複数のオブジェクト３３〜４１が上下左右に並んで配置されている。各オブジェクト３３〜４１には、エリア名と、現在の使用電力と、が表示されている。
また、各オブジェクト３３〜４１のうち、エアコンのあるエリアのオブジェクト３３〜３８，４０，４１については、エアコンのオン・オフ操作用のボタン３３ａ〜３８ａ，４０ａ，４１ａが表示されている。
【００６８】
また、各オブジェクト３３〜４１は、画面上端の右側に寄った位置に表示された第一〜第四指標４２〜４５に基づいて、意匠が変化するように設定されている。すなわち、使用電力に応じて、各オブジェクト３３〜４１の色や周縁部の模様が変化するように設定されている。なお、このような意匠の変化は、本実施形態において例示するものだけに限られるものではなく、本発明の趣旨を逸脱しない範囲で適宜変更可能である。
【００６９】
第一指標４２は、エリア内における家庭内負荷６，７の使用状況が、「未使用」状態の場合の指標であり、図４に示す表示画面では、「洗面所」オブジェクト３９がこれに該当している。本実施形態におけるオブジェクト３９は、いわゆる白抜きの状態に表示されている。
なお、ここでいう「未使用」状態とは、家庭内負荷６，７が動作しておらず、待機電力のみ消費している場合、若しくはそれと同程度の使用状況である場合を指すものとする。
【００７０】
第二指標４３は、エリア内における家庭内負荷６，７の使用状況が、「使用」状態の場合の指標であり、図４に示す表示画面では、「子供部屋」オブジェクト３３と、「書斎」オブジェクト３５と、「子供部屋」オブジェクト４０と、「子供部屋」オブジェクト４１がこれに該当している。本実施形態におけるオブジェクト３３，３５，４０，４１は、その周縁部が強調されて、縁取りされた状態に表示されている。
なお、ここでいう「使用」状態とは、家庭内負荷６，７が動作しているものの、その使用電力がそれほど高くない場合を指すものとする。
【００７１】
第三指標４４は、エリア内における家庭内負荷６，７の使用状況が、「使用（大）」状態の場合の指標であり、図４に示す表示画面では、「キッチン」オブジェクト３７と、「主寝室」オブジェクト３８がこれに該当している。本実施形態におけるオブジェクト３８，３９は、オブジェクト全体に色が付けられた状態に表示されている（例えば黄緑色）。
なお、ここでいう「使用（大）」状態とは、家庭内負荷６，７が動作しており、その使用状況が、上記した「使用」状態よりも大きい場合を指すものとする。より具体的には、各オブジェクト３３〜４１が「使用（大）」状態となる条件としては、家庭内負荷６の使用電力が比較的大きく、電流値が、目標契約アンペア情報の値（３０Ａ）を超える原因の一つとなり得ると想定された場合に、各オブジェクト３３〜４１が「使用（大）」状態となる。なお、その判断は、サーバ本体２ａによって行われるものとする。
【００７２】
第四指標４５は、エリア内における家庭内負荷６，７の使用電力が、「使用（超）」状態の場合の指標であり、図４に示す表示画面では、「子供部屋」オブジェクト３４と、「リビング」オブジェクト３６がこれに該当している。本実施形態におけるオブジェクト３４，３６は、オブジェクト全体に、「使用（大）」状態のオブジェクトとは異なる色が付けられた状態に表示されている（例えばオレンジ色）。
なお、ここでいう「使用（超）」状態とは、家庭内負荷６，７が動作しており、その使用電力が、上記した「使用（大）」状態よりも大きい場合を指すものとする。より具体的には、各オブジェクト３３〜４１が「使用（超）」状態となる条件としては、家庭内負荷６の使用電力が過大で、電流値が、目標契約アンペア情報の値（３０Ａ）を超える大きな原因となり得ると想定された場合に、各オブジェクト３３〜４１が「使用（超）」状態となる。なお、その判断は、サーバ本体２ａによって行われるものとする。
【００７３】
図４の表示画面におけるオブジェクト３３，３４の上には、画面中に表示された各エリアの総使用電力が表示される総使用電力表示欄４６がある。
また、総使用電力表示欄４６の右側には、表示画面を切り替えるボタン４７と、更新時刻が表示されている。
【００７４】
エアコンのオン・オフ操作用のボタン３３ａ〜３８ａ，４０ａ，４１ａは、タッチ操作又はスライド操作により、エアコンのオン・オフ操作ができるようになっている。すなわち、上記した負荷制御部によってその処理が行われる。
図４に示す表示画面はエリアごとの現在の使用電力が表示されているため、ユーザーは、端末装置１０における表示装置を使って、エアコン（家庭内負荷６）の動作をリアルタイムで操作できるようになっている。換言すれば、端末装置１０における表示装置に送信される画面のデータを生成する画面生成部は、負荷制御部（外部サーバ２）と通信可能に接続されており、目標契約アンペア情報の値（３０Ａ）を超える電流値の該当時間における家庭内負荷６，７の動作を操作する操作画面を生成できるようになっている。
なお、図４に示す表示画面では、オブジェクト３４で示す子供部屋エリアと、オブジェクト４０で示す子供部屋エリアで、エアコンがオンの状態になっている。
【００７５】
図５は、家庭内負荷６，７ごとの使用電力をスケジュール管理するための表示画面の一例を示す図であり、上記したトップ画面から移行することができる。また、トップ画面に限らず、図３に示す表示画面や、図４に示す表示画面（例えばボタン４７を利用する。）等、その他の画面から移行できるようにしてもよい。
【００７６】
図５の表示画面は、複数の列と、複数の行と、から構成された単位時間ごとのスケジュール表であり、一時間ごとの時間を記した列４８と、家庭内負荷６，７の名前（グループ名）を記した行４９と、繰り返しの有無を選択するボタン５０ａ〜５０ｈが設けられた行５０と、を備えている。そして、これらの列４８と行４９，５０とが交差する枡目の箇所（以下、セルと称する）の、家庭内負荷６，７の動作を事前に設定できるようになっている。すなわち、単位時間ごとに事前にスケジュールを組んで、家庭内負荷６，７を動作させることができるようになっている。
【００７７】
また、このようなスケジュール設定は、登録された家庭内負荷６，７の一つ一つに対して、「平日のみ」、「平日及び週末のセット」、「毎日」、「週末のみ」、「曜日指定」のパターンを選択して行うことができる。ここで、平日とは、月曜日〜金曜日を指し、週末とは、土曜日及び日曜日を指し、毎日とは、日曜日〜土曜日を指す。また、曜日を指定する場合は、専用の設定画面に移行して設定を行うものとする。
【００７８】
図５の例を挙げて説明すると、家庭内負荷６であるエアコンの項目では、第一のエアコンに対して「平日及び週末のセット」が平日及び週末共に“繰り返しあり”の状態で設定されている。第二のエアコンに対しては「毎日」が“繰り返しあり”の状態で設定されている。第三のエアコンに対しては「週末のみ」が“繰り返しなし”の状態で設定されている。第四のエアコンに対しては「曜日指定」が“繰り返しなし”の状態で設定されている。
家庭内負荷７である床暖房の項目では、「平日のみ」が“繰り返しあり”の状態で設定されている。
家庭内負荷７である電動シャッターの項目では、「平日のみ」が“繰り返しなし”の状態で設定され、「週末のみ」が“繰り返しあり”の状態で設定されている。
【００７９】
家庭内負荷６，７のスケジュール設定を行う場合は、家庭内負荷６，７を動作させたい時間のセルを選択（例えばタップ操作）することで、その家庭内負荷６，７の動作のオン・オフを切り替えることができる。
また、繰り返しの有無は、繰り返しの有無を選択するボタン５０ａ〜５０ｈを操作してオン・オフを切り替えることで設定することができる。
【００８０】
さらに、一時間ごとの時間を記した列４８の各セルも選択操作可能に構成されており、全ての家庭内負荷６，７を、一時間ごとに一括オン又は一括オフすることができる。
例えば、図５に示す例において、午前零時は全ての家庭内負荷６，７の動作がオフの状態になっているが、列４８の「０：００」と記載されたセルを選択することで、午前零時の時間帯における全ての家庭内負荷６，７の動作を一括でオンの状態することができる。
このような機能を利用することで、例えば図２の示す例で挙げた使用電力の多い時間帯（朝７時〜朝９時、夕方１７時、夜１８時〜夜１９時）の家庭内負荷６，７の動作を事前に一括オフの状態にすることも可能となっている。
さらに、このような機能は、上記した負荷制御部によって、現在動作している状態の家庭内負荷６，７にも適用することができる。例えば現在の時間が午前８時である場合には、図５の表示画面上で、列４８の「８：００」と記載されたセルを選択することで、現在動作している状態の家庭内負荷６，７を一括でオフにすることができる。ただし、後述するような熱中症リスクがある場合には、負荷制御部は、一括オフしないように家庭内負荷６，７の動作を制御する。
【００８１】
図６は、エリアごとの温湿度状況を表示する表示画面の一例を示す図であり、図６に示す表示画面へは、上記したトップ画面から移行することができる。また、トップ画面に限らず、図３に示す表示画面や、図４に示す表示画面（例えばボタン４７を利用する。）等、その他の画面から移行できるようにしてもよい。
【００８２】
図６の表示画面について、より詳細に説明すると、画面の大部分には、略矩形状に形成された複数のオブジェクト５１〜５９が上下左右に並んで配置されている。各オブジェクト５１〜５９には、エリア名と、現在の温度及び湿度と、エアコンの設定温度と、が表示されている。
また、各オブジェクト５１〜５９のうち、エアコンのあるエリアのオブジェクト５１〜５６，５８，５９については、エアコンのオン・オフ操作用のボタン５１ａ〜５６ａ，５８ａ，５９ａが表示されている。
【００８３】
また、各オブジェクト５１〜５９は、画面上端の右側に寄った位置に表示された第一〜第五暑さ指標６０〜６４に基づいて、意匠が変化するように設定されている。すなわち、温湿度状況に応じて、各オブジェクト５１〜５９の周縁部の色が変化するように設定されている。なお、このような意匠の変化は、本実施形態において例示するものだけに限られるものではなく、本発明の趣旨を逸脱しない範囲で適宜変更可能である。
【００８４】
第一〜第五暑さ指標６０〜６４は、ＩＳＯ等で国際的に規格化された暑さ指数（ＷＢＧＴ（湿球黒球温度）：Wet Bulb Globe Temperature）に基づいて設定されている。
なお、暑さ指数の単位は、図６に示すように、気温と同じ摂氏度（℃）で示されているが、その値は気温とは異なる。このような暑さ指数（ＷＢＧＴ）は人体とその周囲の空気との熱のやりとり（熱収支）に着目したものであり、人体の熱収支に与える影響の大きい湿度、日射・輻射など周辺の熱環境、気温の３つを取り入れた指標である。
上記したリスク管理部は、このような暑さ指数と、温湿度センサー８ａによって計測された温度及び湿度の計測結果とを比較判定して、熱中症リスク情報を導き出している。熱中症リスク情報とは、各オブジェクト５１〜５９の周縁部における意匠を指しており、ユーザーは、オブジェクト５１〜５９に設定された意匠（意匠の変化）を見て容易に熱中症リスクを把握することができる。
【００８５】
第一暑さ指標６０は、暑さ指数２１℃未満であることを判定基準としており、エリア内が暑さ指数２１℃未満である場合には、熱中症のリスクは少なく、「ほぼ安全（適宜水分補給が必要。）」と判断できる。
図６に示す表示画面では、「リビング」オブジェクト５４と、「キッチン」オブジェクト５５と、「主寝室」オブジェクト５６と、「子供部屋」オブジェクト５８と、「子供部屋」オブジェクト５９と、がこれに該当している。本実施形態におけるオブジェクト５４，５５，５６，５８，５９は、その周縁部に色（例えば黄緑色）が付けられて強調された状態に表示されている。
【００８６】
第二暑さ指標６１は、暑さ指標２１〜２５℃であることを判定基準としており、エリア内が暑さ指標２１〜２５℃である場合には、熱中症の兆候に注意が必要であり、「注意（積極的に水分補給が必要。）」と判断できる。
図６に示す画面では、「子供部屋」オブジェクト５１がこれに該当している。本実施形態におけるオブジェクト５１は、その周縁部に色（例えば緑色）が付けられて強調された状態に表示されている。
【００８７】
第三暑さ指標６２は、暑さ指標２５〜２８℃であることを判定基準としており、エリア内が暑さ指標２５〜２８℃である場合には、熱中症のリスクが高く、「警戒（積極的に休憩が必要）」と判断できる。
図６に示す画面では、「子供部屋」オブジェクト５２がこれに該当している。本実施形態におけるオブジェクト５２は、その周縁部に色（例えばオレンジ色）が付けられて強調された状態に表示されている。
【００８８】
第四暑さ指標６３は、暑さ指標２８〜３１℃であることを判定基準としており、エリア内が暑さ指標２８〜３１℃である場合には、熱中症のリスクが高く、「厳重警戒（激しい運動は中止する。）」と判断できる。
図６に示す画面では、「書斎」オブジェクト５３がこれに該当している。本実施形態におけるオブジェクト５３は、その周縁部に色（例えば赤色）が付けられて強調された状態に表示されている。
【００８９】
第五暑さ指標６４は、暑さ指標３１℃以上であることを判定基準としており、エリア内が暑さ指標３１℃以上である場合には、熱中症のリスクが高く、「危険（運動は原則中止する。）」と判断できる。
図６に示す画面では、これに該当しているオブジェクトはないが、該当しているオブジェクトがある場合は、その周縁部に色（例えば濃赤色）が付けられて強調された状態に表示されている。
【００９０】
図６に示す画面のうち「洗面所」オブジェクト５７は、エリア内の温度が１４．８℃となっており、熱中症のリスクは低いが、周囲のエリアとの温度差が大きい。そのため、いわゆるヒートショックの発生リスクが高まっている。そこで、このように周囲のエリアとの温度差が大きく、かつエリア内温度が低い場合には、そのオブジェクト５７の周縁部に色（例えば薄紫色）が付けられて強調された状態に表示されている。
【００９１】
図６の表示画面におけるオブジェクト５１，５２の上には、建物１の外部（屋外）における温度及び湿度が表示される外部環境表示欄６５がある。
また、外部環境表示欄６５の右側には、表示画面を切り替えるボタン６６と、更新時刻が表示されている。
【００９２】
エアコンのオン・オフ操作用のボタン５１ａ〜５６ａ，５８ａ，５９ａは、タッチ操作又はスライド操作により、エアコンのオン・オフ操作ができるようになっている。すなわち、上記した負荷制御部によってその処理が行われる。
図６に示す表示画面はエリアごとの現在の温度及び湿度が表示されているため、ユーザーは、端末装置１０における表示装置を使って、エアコン（家庭内負荷６）の動作をリアルタイムで操作できるようになっている。換言すれば、端末装置１０における表示装置に送信される画面のデータを生成する画面生成部は、負荷制御部（外部サーバ２）と通信可能に接続されており、目標契約アンペア情報の値（３０Ａ）を超える電流値の該当時間における家庭内負荷６，７の動作を操作する操作画面を生成できるようになっている。
ただし、暑さ指標が高い場合や、外気温や時間帯を考慮して暑さ指標が高くなると予想される場合には、エアコンのオフ操作ができない場合がある。逆に、暑さ指標が高い（例えば第五暑さ指標６４に達している）にも拘らずエアコンが稼動していない場合には、エアコンを自動的にオン操作する場合がある。すなわち、上記した負荷制御部は、リスク管理部によって導き出された熱中症リスクの度合い（暑さ指標）に応じて、家庭内負荷６，７の動作を制御する場合がある。
なお、図６に示す表示画面では、オブジェクト５２で示す子供部屋エリアと、オブジェクト５８で示す子供部屋エリアで、エアコンがオンの状態になっている。
【００９３】
図７は、熱中症リスクに基づくアドバイス情報の一覧を示す図である。当該アドバイス情報の一覧は、データ化されて外部サーバ２の記憶部２ｂに記憶されている。
熱中症リスクに基づくアドバイス情報は、外部サーバ２から端末装置１０に送信され、端末装置１０から音声又は／及び文字によって出力される。なお、熱中症リスクに基づくアドバイス情報は、ユーザーである建物１の居住者に対して漏れなく伝達される必要があるため、建物１に居住する全ての居住者がそれぞれ所持する端末装置１０に対して送信されることが望ましい。
【００９４】
熱中症リスクに基づくアドバイス情報は、上記したオブジェクト５１〜５９の意匠が変化した場合に、外部サーバ２から端末装置１０に送信される。つまり、当該アドバイス情報は、上記したリスク管理部の処理と連動しており、上記した第一〜第五暑さ指標６０〜６４に基づいている。したがって、熱中症リスクに基づくアドバイス情報には、第一〜第五暑さ指標６０〜６４に基づき、大枠で５つのパターン６７〜７１があることになる。
このような熱中症リスクに基づくアドバイス情報は、各オブジェクト５１〜５９の意匠の変化前と変化後とで状態が悪化した場合と、各オブジェクト５１〜５９の意匠が「厳重警戒」又は「危険」が続く場合に少なくとも発信する必要がある。
また、熱中症リスクに基づくアドバイス情報が端末装置１０に送信される場合は、現在の暑さ指標が何℃であるかを示す情報も同時に送信される。すなわち、図７に示すような現在値情報７２が併せて送信されることになる。
【００９５】
第一パターン６７は、各オブジェクト５１〜５９における意匠の変化前が、第一暑さ指標６０に基づく「ほぼ安全」であった場合のアドバイス情報である。
意匠の変化後が「注意（第二暑さ指標６１）」、「警戒（第三暑さ指標６２）」、「厳重警戒（第四暑さ指標６３）」、「危険（第五暑さ指標６４）」のいずれであるかによって、アドバイス情報の内容が異なる。具体的には、図７に示すようなアドバイス情報が、端末装置１０に送信される。
なお、意匠に変化が無かった場合、すなわち「ほぼ安全」の状態が続く場合は、特にアドバイス情報は端末装置１０に送信されず、現在値情報７２のみが送信される。
【００９６】
第二パターン６８は、各オブジェクト５１〜５９における意匠の変化前が、第二暑さ指標６１に基づく「注意」であった場合のアドバイス情報である。
意匠の変化後が「警戒」、「厳重警戒」、「危険」のいずれであるかによって、アドバイス情報の内容が異なる。具体的には、図７に示すようなアドバイス情報が、端末装置１０に送信される。
なお、意匠に変化が無く、「注意」の状態が続く場合、若しくは意匠の変化後が「ほぼ安全」となった場合は、特にアドバイス情報は端末装置１０に送信されず、現在値情報７２のみが送信される。
【００９７】
第三パターン６９は、各オブジェクト５１〜５９における意匠の変化前が、第三暑さ指標６２に基づく「警戒」であった場合のアドバイス情報である。
意匠の変化後が「厳重警戒」、「危険」のいずれであるかによって、アドバイス情報の内容が異なる。具体的には、図７に示すようなアドバイス情報が、端末装置１０に送信される。
なお、意匠に変化が無く、「警戒」の状態が続く場合、若しくは意匠の変化後が「注意」又は「ほぼ安全」となった場合は、特にアドバイス情報は端末装置１０に送信されず、現在値情報７２のみが送信される。
【００９８】
第四パターン７０は、各オブジェクト５１〜５９における意匠の変化前が、第四暑さ指標６３に基づく「厳重警戒」であった場合のアドバイス情報である。
意匠が変化せずに「厳重警戒」の状態が続く場合、若しくは意匠の変化後が「危険」である場合のいずれかによって、アドバイス情報の内容が異なる。具体的には、図７に示すようなアドバイス情報が、端末装置１０に送信される。
なお、意匠の変化後が「警戒」、「注意」、「ほぼ安全」のいずれかとなった場合は、特にアドバイス情報は端末装置１０に送信されず、現在値情報７２のみが送信される。
【００９９】
第五パターン７１は、各オブジェクト５１〜５９における意匠の変化前が、第五暑さ指標６４に基づく「危険」であった場合のアドバイス情報である。
意匠の変化後が「厳重警戒」である場合、若しくは意匠が変化せずに「危険」の状態が続く場合のいずれかによって、アドバイス情報の内容が異なる。具体的には、図７に示すようなアドバイス情報が、端末装置１０に送信される。
なお、意匠の変化後が「警戒」、「注意」、「ほぼ安全」のいずれかとなった場合は、特にアドバイス情報は端末装置１０に送信されず、現在値情報７２のみが送信される。
【０１００】
なお、以上の説明では、主に使用電力について説明したが、水道使用量及びガス使用量についても同様に管理を行うことができる。
すなわち、外部サーバ２における記憶部２ｂに水道使用量及びガス使用量の判定を行う判定プログラムが記憶され、サーバ本体２ａによって当該プログラムが実行され、画面生成部によって水道使用量及びガス使用量を確認できる表示画面を生成することができるようになっている。
【０１０１】
また、本実施形態におけるホームゲートウェイ４は、上述のように、単にルーターやハブ等の機能を有して外部装置との連携により本実施形態における電力管理システムを構築してもよいし、ホームゲートウェイ４に必要な機能を持たせて、外部装置との連携を行わずに本実施形態における電力管理システムを構築してもよく、外部装置との連携の度合いも適宜変更してもよいものであるため、上記の外部サーバ２が備える機能を、ホームゲートウェイ４に適用してもよいものとする。
なお、生成された画面を表示する機能や、建物１内の各種機器を遠隔操作する機能については、基本的に、端末装置１０が備えるものとする。ただし、これに限られるものではなく、生成された画面を表示する機能や、建物１内の各種機器を遠隔操作する機能についても、ホームゲートウェイ４が備えるものとしてもよい。
【０１０２】
以上のような本実施の形態によれば、記憶部２ｂに記憶された電流値のうち目標契約アンペア情報の値を超えた電流値を判定して、その回数を計算する判定部２ａと、目標契約アンペア情報の値（３０Ａ）を超えた電流値の回数情報２０，２１を表示する画面を生成する画面生成部と、を備えるので、目標契約アンペア情報の値（３０Ａ）を超えた単位時間ごとの電流値を、生成された画面を端末装置１０を見て容易に把握することができる。これにより、一日のうち、どの時間の使用電力が多いかを判別することができるので、該当する時間における建物１の電力使用状況を改善しやすく、使用電力を容易に節約することができる。
【０１０３】
また、画面生成部が、特定期間分の回数情報（すなわちブロック２０，２１）を累積した形態で表示する画面を生成するので、特定期間（例えば一ヶ月）を通じて、どの時間の使用電力が多いかを、生成された画面を見て容易に判別することができる。そして、このように特定期間を通じて表示される回数情報２０，２１であるため、情報の信頼性を高めることができる。
【０１０４】
また、累積した形態で表示された回数情報２０，２１には現在契約アンペア情報の値を超えた分も含まれているので、ユーザーは、現在の自身の電力使用状況の良し悪しを把握することができる。
【０１０５】
また、画面生成部は、回数情報２０，２１のうち目標契約アンペア情報の値（３０Ａ）を超えた電流値の一回分を一つのブロック２０，２１で表し、特定期間中のブロック２０，２１を単位時間ごとに積み上げる形態で表示する画面を生成するので、生成された画面では、目標契約アンペア情報の値（３０Ａ）を超えた電流値を表すブロック２０，２１が単位時間ごとに積み上がることとなる。したがって、ユーザーは、生成された画面を見て、特定期間中の単位時間ごとの電流値を容易に把握することができる。
【０１０６】
また、画面生成部は、単位時間ごとに積み上げられたブロック２０，２１のうち、目標契約アンペア情報の値（３０Ａ）を超えた分のブロック２０と、現在契約アンペア情報の値（４０Ａ）を超えた分のブロック２１を異なる意匠で表す画面を生成するので、目標契約アンペア情報の値（３０Ａ）を超えた分の電流値と、現在契約アンペア情報の値（４０Ａ）を超えた分の電流値を区別して把握することができる。
【０１０７】
また、画面生成部は、目標契約アンペア情報の値（３０Ａ）を超えた各回の電流値に係る詳細情報を表示する画面を生成可能に構成されているので、ユーザーは、目標契約アンペア情報の値（３０Ａ）を超えた各回の電流値をより詳細に把握することができる。
【０１０８】
また、画面生成部が、家庭内負荷６，７の動作を制御する負荷制御部２ａと通信可能に接続されており、目標契約アンペア情報の値（３０Ａ）を超える電流値の家庭内負荷６，７の動作を操作する操作画面を生成可能とされているので、生成された操作画面を通じて、家庭内負荷６，７の動作を操作制御することによって、使用電力を容易に節約することができる。
【０１０９】
また、負荷制御部２ａが、リスク管理部２ａによって導き出された熱中症リスク情報の度合いに応じて、家庭内負荷６，７の動作を制御するので、熱中症リスク情報の度合いが高い場合には、家庭内負荷６，７の動作をむやみに止めてしまったり、誤操作してしまったりすることを防ぐことができる。または、熱中症リスク情報の度合いが高いにも拘らずエアコン等の家庭内負荷６，７が動作していない場合には、エアコン等の家庭内負荷６，７を動作させることができる。これにより、建物１にいる人の熱中症リスクを低減することができる。
さらに、熱中症リスク情報の度合いが低い場合には、負荷制御部２ａによって家庭内負荷６，７の動作を制御することで、使用電力を容易に節約することができる。
【０１１０】
〔変形例〕
なお、本発明を適用可能な実施形態は、上述した実施形態に限定されることなく、本発明の趣旨を逸脱しない範囲で適宜変更可能である。以下、変形例について説明する。以下に挙げる変形例は可能な限り組み合わせてもよい。
【０１１１】
〔変形例１〕
図８〜図１３は、画面生成部によって生成されるとともに送信部によってデータが送信され、端末装置１０における表示装置に表示される各種の画面の変形例である。表示装置に表示される画面は、複数のボタンを備えたサイドメニュー１１０の領域と、サイドメニュー１１０における複数のボタンを選択することで表示される領域と、を有するように構成されている。
【０１１２】
図８は、端末装置１０における表示装置に表示されるトップ画面１００（ホーム画面ともいう。）であり、ユーザーが、電力管理システムの利用を開始した時、又は画面右側に表示されたサイドメニュー１１０のうち、「家全体の状況」ボタン１１２を押した場合に表示される。
トップ画面１００には、上述のサイドメニュー１１０の他にも様々な項目（表示欄）が表示されている。
【０１１３】
「売電／買電」表示欄１０１は、発電電力と使用電力との差が計算され、発電電力が使用電力を上回った場合に「売電」と表示されるとともにその電力（Ｗ：ワット）が表示される。また、発電電力が使用電力を下回った場合には「買電」と表示されるとともにその電力（Ｗ：ワット）が表示される。
図８に示す例においては、発電電力と使用電力との差が計算され、発電電力が使用電力を下回っており、そのため、「買電」と表示されるとともにその電力（１２８Ｗ）が表示されている。
【０１１４】
「発電トータル」表示欄１０２は、発電機として登録されている機器の総発電電力が表示される欄である。
また、発電機として登録されている機器についても個別に発電電力が表示される。本変形例においては、「太陽光発電」表示欄１０２ａ、「蓄電池  放電」表示欄１０２ｂ、「ガス発電」表示欄１０２ｃが表示されている。
【０１１５】
「使用トータル」表示欄１０３は、住宅等の建物１全体における使用電力が表示される欄である。
また、電力を使用する機器についても個別に使用電力が表示される。本変形例においては、「エアコン」表示欄１０３ａ、「ＥＶ」表示欄１０３ｂ、「その他」表示欄１０３ｃが表示されている。
【０１１６】
「エネルギー使用量と料金の累計」表示欄１０４は、建物１で使用される電気・ガス・水道を含むエネルギーの使用量又は料金を、ひと月の累計で表示するか、１日の累計で表示する欄である。すなわち、エネルギーの使用量の表示と料金の表示はどちらか一方を選択でき、ひと月の累計表示と１日の累計表示はどちらかを選択できるようになっている。
【０１１７】
サイドメニュー１１０には、建物１内に居住者がいるか否か、すなわち在・不在を選択できる在宅状況確認欄１１１が含まれている。居住者は、自身の外出の際（建物１内に居住者がいなくなる際）に不在を選択して警戒モードを作動させることができる。その操作は、切替ボタン１１１ａによって行うことができる。
なお、警戒モードは、在宅状況確認欄１１１で居住者の不在が選択された場合に、建物１の出入りが可能な開口部の警戒を行うものであり、具体的には、居住者の不在時において、開口部を開閉する建具・シャッターの動作をセンサー等によって検知したり、電気錠の解錠を監視するものである。居住者の不在時に開口部が開放されたことが検知された場合には、居住者や警備会社、警察に通知が送信される。
【０１１８】
サイドメニュー１１０には、上記した「家全体の状況」ボタン１１２の他に、「お部屋の状況」ボタン１１３、「機器別の状況」ボタン１１４、「涼風制御」ボタン１１５、「エネルギー状況」ボタン１１６、「エネルギー比較」ボタン１１７、「設定」ボタン１１８が含まれている。これらボタンを押すことによって、それぞれの表示画面を表示装置に表示できるようになっている。
「家全体の状況」ボタン１１２は、上述のように、当該ボタン１１２を押すことでトップ画面１００を表示することができる。
【０１１９】
サイドメニュー１１０における「お部屋の状況」ボタン１１３を押すと、図９に示すように、建物１内の部屋ごとの状況を確認できる「お部屋の状況」表示画面１２０を表示することができる。
画面の上端部には、「温湿度」タブ１２０ａ、「戸締まり」タブ１２０ｂ、「家電利用」タブ１２０ｃ、「電力状況」タブ１２０ｄの、複数のタブが表示されている。図９は、「温湿度」タブ１２０ａを押した場合に表示される画面である。
図９に示す画面には、複数のタブ１２０ａ〜１２０ｄの下方に、建物１における現在の室温と外気温とを確認できる温度表示欄１２１が表示されている。より詳細には、現在の最高室温とその部屋名、現在の最低室温とその部屋名、外気温が並んで表示されている。
さらに下方には、建物１の各階における各部屋の温湿度の状況が確認できる複数の表示欄が表示されている。より具体的に説明すると、表示欄が表示されるのは、温度センサー（温湿度センサー）又はエアコンが設置・登録された部屋のみであり、１階においては、リビングの状況を確認できる表示欄１２２、浴室の状況を確認できる表示欄１２３、玄関の状況を確認できる表示欄１２４があり、２階においては、子供部屋の状況を確認できる表示欄１２５、主寝室の状況を確認できる表示欄１２６がある。そして、リビングの状況を確認できる表示欄１２２、子供部屋の状況を確認できる表示欄１２５においては、切替ボタン１２２ａ，１２５ａによってエアコンのオン・オフを切り替え操作できるようになっている。
なお、機器の登録がされていない場合、又は登録機器はあるが情報を取得できていない場合には、「−」表示となる。
【０１２０】
また、各表示欄１２２〜１２６の枠部分は、熱中症のリスクに応じて色が付けられて意匠が変化する。ユーザーは、各表示欄１２２〜１２６の枠部分の色を見て、熱中症のリスクを確認することも可能となっている。枠部分の色については、上記の実施形態における熱中症リスクの色と同様に設定されているものとするが、これに限られるものではない。
【０１２１】
「戸締まり」タブ１２０ｂを押すと、建物１の各部屋ごとの窓開口部、玄関ドアの電気錠、電動シャッターの開閉状態を表示することができ、かつ、電気錠と電動シャッターをリモートで開閉や解錠／施錠操作できる画面を表示することができる。
「家電利用」タブ１２０ｃを押すと、登録されている家電類の状態の表示や操作を行うことが可能な画面を表示することができる。
「電力状況」タブ１２０ｄを押すと、建物１における各部屋の現在の消費電力を表示する画面を表示することができる。
【０１２２】
サイドメニュー１１０における「機器別の状況」ボタン１１４を押すと、図１０，図１１に示すように、建物１内の機器ごとの状況を確認できる「機器別の状況」表示画面１３０を表示することができる。
画面の上端部には、「温湿度」タブ１３０ａ、「戸締まり」タブ１３０ｂ、「家電利用」タブ１３０ｃ、「電力状況」タブ１３０ｄの、複数のタブが表示されている。図１０は、「温湿度」タブ１３０ａを押した場合に表示される画面である。
図１０に示す画面には、複数のタブ１３０ａ〜１３０ｄの下方に、建物１に設置された温湿度センサーごとの状況を確認できる表示領域と、建物１内に設置されたエアコンごとの状況を確認できる表示領域と、が表示されている。
より具体的に説明すると、温湿度センサーの表示領域には、リビングの温湿度センサーの状況を確認できる表示欄１３１ａ、子供部屋の温湿度センサーの状況を確認できる表示欄１３１ｂ、主寝室の温湿度センサーの状況を確認できる表示欄１３１ｃがある。その下方には、エアコンの表示領域があり、当該エアコンの表示領域には、機種別のエアコンの状況を確認できる表示欄１３２ａ，１３２ｂがある。そして、機種別のエアコンの状況を確認できる表示欄１３２ａ，１３２ｂにおいては、切替ボタン１３２ｃ，１３２ｄによって、エアコンのオン・オフを切り替え操作できるようになっている。
また、各表示欄１３１ａ〜１３１ｃ，１３２ａ，１３２ｂの枠部分は、熱中症のリスクに応じて色が付けられて意匠が変化する。ユーザーは、各表示欄１３１ａ〜１３１ｃ，１３２ａ，１３２ｂの枠部分の色を見て、熱中症のリスクを確認することも可能となっている。枠部分の色については、上記の実施形態における熱中症リスクの色と同様に設定されているものとするが、これに限られるものではない。
【０１２３】
図１１は、「機器別の状況」表示画面１３０において、「戸締まり」タブ１３０ｂを押した場合に表示できる画面である。
図１１に示す画面には、複数のタブ１３０ａ〜１３０ｄの下方に、建物１の窓開口部に設置された開閉センサーごとの状況（状態）を確認できる表示領域と、玄関ドアにおける電気錠の状況（状態）を確認できる表示領域と、窓開口部を覆う電動シャッターの状況（状態）を確認できる表示領域と、が表示されている。
より具体的に説明すると、開閉センサーごとの状況を確認できる表示領域には、リビングの開閉センサーの状況を確認できる表示欄１３３ａ、子供部屋の開閉センサーの状況を確認できる表示欄１３３ｂ、主寝室の温湿度センサーの状況を確認できる表示欄１３３ｃがある。その下方には、電気錠の状況を確認できる表示欄１３４があり、さらにその下方に、電動シャッターの状況を確認できる表示欄１３５がある。そして、電気錠の状況を確認できる表示欄１３４においては、切替ボタン１３４ａによって、電気錠の開閉を切り替え操作できるようになっている。また、電動シャッターの状況を確認できる表示欄１３５においては、切替ボタン１３５ａによって、電動シャッターの開閉を切り替え操作できるようになっている。
【０１２４】
「家電利用」タブ１３０ｃを押すと、登録されている家電類の状態の表示や操作を行うことが可能な画面を表示することができる。
「電力状況」タブ１３０ｄを押すと、建物１における各部屋の現在の消費電力を表示する画面を表示することができる。
【０１２５】
サイドメニュー１１０における「涼風制御」ボタン１１５を押すと、図示はしないが、建物１内に導入された涼風制御システムの状態の表示や操作を可能とする画面を表示することができる。なお、涼風制御システムは、建物１全体のエアコンやシーリングファン等の自動制御を行って、快適性を確保するシステムである。
【０１２６】
サイドメニュー１１０における「エネルギー状況」ボタン１１６を押すと、図示はしないが、建物１内で使用されるエネルギーの使用と発電状況をグラフで確認することが可能な画面を表示することができる。
【０１２７】
サイドメニュー１１０における「エネルギー比較」ボタン１１７を押すと、図示はしないが、建物１内における各部屋で使用されている電力の使用量を比較して確認することが可能な画面を表示することができる。
【０１２８】
サイドメニュー１１０における「設定」ボタン１１８を押すと、図示はしないが、例えば上記の警戒モードの設定や、その他の表示や操作に係る設定を行うことが可能な画面を表示することができる。
【０１２９】
本変形例によれば、画面生成部によって生成されるとともに送信部によってデータが送信され、端末装置１０における表示装置に表示される各種の画面によって、上述のようなエネルギーに係る各種の情報を確認できたり、機器の操作を行うことができるので、電力を含むエネルギーの使用状況を改善しやすく、使用電力を容易に節約することができる。
【０１３０】
〔変形例２〕
本変形例においては、図１２〜図２２に示すように、家庭内負荷である機器ごとのタイマー設定（制御）と、シーン設定（制御）を行うことができる。これらの設定（制御）は、外部サーバ２における記憶部２ｂに記憶されたプログラムに基づいて、外部サーバ２におけるサーバ本体２ａによって実行される。
【０１３１】
図１２，図１３は、画面生成部によって生成された「タイマーの状況」表示画面１４０であり、図１４は、画面生成部によって生成された「シーンの状況」表示画面１５０である。
なお、本変形例におけるサイドメニュー１１０は、変形例１における「涼風制御」ボタン１１５の代わりに、「タイマーの状況」ボタン１０５ａと、「シーンの状況」ボタン１０５ｂと、が追加されたような状態となっている。「タイマーの状況」ボタン１０５ａを押すと、図１２，図１３に示す表示画面に移行することができ、「シーンの状況」ボタン１１５ｂを押すと、図１４に示す画面に移行することができる。
【０１３２】
「タイマーの状況」表示画面１４０には、曜日選択領域１４１と、機器カテゴリ／機器名称表示領域１４２と、詳細ボタン領域１４３と、タイマー状況表示領域１４４と、が表示されている。
曜日選択領域１４１には、「週」「月」「火」「水」「木」「金」「土」「日」の各ボタンが並んで配置されており、図１２は、「週」ボタンを押した場合に表示される画面である。また、図１３は、「月」ボタンを押した場合に表示される画面である。
機器カテゴリ／機器名称表示領域１４２には、機器のカテゴリと機器の名称とが併記された複数の表示欄が並んで配置されている。これら複数の表示欄に表示された「＋」ボタンを押すと、表示欄が展開して、機器ごとのタイマー制御をより詳細に管理できるようになっている（例えば図１８参照）。
詳細ボタン領域１４３には、機器カテゴリ／機器名称表示領域１４２の各表示欄と左右に隣り合う複数の詳細ボタンが並んで配置されている。これらの詳細ボタンを押すことによって、タイマー設定の編集を行う画面へと移行することができる。
タイマー状況表示領域１４４には、事前に設定されたタイマーの状態が、機器ごとに表示されている。
【０１３３】
図１３に示す「月」ボタンを押した場合の表示画面１４０では、月曜日のスケジュールがより詳細に確認できるように、月曜日の表示幅が広がった状態となっている。曜日選択領域１４１のその他のボタンを押せば、他の曜日も、図１３に示すような状態でスケジュールをより詳細に確認できるようになっている。
すなわち、図１２に示す表示画面１４０のタイマー状況表示領域１４４では、各曜日が午前（ＡＭ）と午後（ＰＭ）のみで表示されているが、図１３に示す表示画面１４０のタイマー状況表示領域１４４では、選択した曜日が、０時から２４時（翌日０時）まで範囲を広げて見ることができる。
【０１３４】
図１４の「シーンの状況」表示画面１５０には、ユーザーの生活に合わせた複数のシーン（場面）別に機器を操作するための操作ボタンが設けられたシーン別表示欄が表示されている。
具体的には、起床シーンに対応する表示欄１５１と、就寝シーンに対応する表示欄１５２と、外出（不在）シーンに対応する表示欄１５３と、在宅（帰宅）シーンに対応する表示欄１５４と、その他のシーンとして、リラックス時のシーンに対応する表示欄１５５と、映画等の鑑賞時のシーンに対応する表示欄１５６と、入浴前のシーンに対応する表示欄１５７と、が表示されている。
各表示欄１５１〜１５７には、シーンごとに事前に登録された機器を操作するための操作ボタン１５１ａ〜１５７ａが設けられている。これら操作ボタン１５１ａ〜１５７ａを押すと、事前に登録された機器が作動するようになっている。
このようにボタン操作によって作動した機器は、一定の時間が過ぎたり、もう一度操作ボタン１５１ａ〜１５７ａを押したりすることで停止状態となるように設定されているものとする。
各表示欄１５１〜１５７のうち、起床シーンに対応する表示欄１５１と、映画等の鑑賞時のシーンに対応する表示欄１５６と、入浴前のシーンに対応する表示欄１５７には、「タイマー」表示１５１ｂ，１５６ｂ，１５７ｂがなされ、タイマー設定が有効であることが示されている。
【０１３５】
図１５〜図１７は、「シーンの状況」表示画面１５０に表示された各表示欄１５１〜１５７のシーンを設定するための画面である。
図１５に示す表示画面１６０は、「シーンの状況」表示画面１５０に表示された各表示欄１５１〜１５７のシーンを設定する際の編集トップの画面である。「シーンの状況」表示画面１５０から編集トップの画面１６０への移行は、例えば「設定」ボタン１１８を押して表示される画面から行うことができる。ただし、これに限られるものではなく、例えば「シーンの状況」表示画面１５０に表示された各表示欄１５１〜１５７を押すことで編集トップの画面１６０に移行できるようにしてもよい。
編集トップの画面１６０では、「設定」の列における「編集」ボタン１６１を押すことで、図１６，図１７に示すような編集画面を表示することができる。また、「追加」ボタン１６２を押すことで、シーンの新規登録画面（図示せず）を表示することができる。
また、「削除」の列におけるチェックボックス１６３にチェックを入れて、「削除」ボタン１６４を押すことで、シーンの削除を行うことができる。
「シーン名」の列１６５に表示された各シーン名及び「シーンカテゴリ」の列１６６に表示された各シーンカテゴリは、それぞれの編集画面で変更が可能となっている。
【０１３６】
図１６に示す表示画面１７０は、起床シーンのうち機器カテゴリでエアコンを選択した場合の編集画面である。この編集画面１７０には、「シーン名」編集部１７１と、「機器カテゴリ」プルダウンメニュー１７２と、「機器名」プルダウンメニュー１７３と、「電源」操作ボタン１７４と、「運転モード」選択部１７５と、「温度設定」操作部１７６と、「風量設定」操作部１７７と、決定ボタン１７８と、キャンセルボタン１７９と、が表示されている。
「シーン名」編集部１７１は、シーン名（図１６で「起床シーン」）を押すと、文字入力用のキーボードが表示され、任意の文字を入力することができる。
「機器カテゴリ」プルダウンメニュー１７２は、右側端部の「▼」マーク１７２ａを押すと、「エアコン」や「電動シャッター」等の機器カテゴリの複数の選択肢が表示され、任意の選択肢を選ぶことができる。
「機器名」プルダウンメニュー１７３は、右側端部の「▼」マーク１７３ａを押すと、機器名の複数の選択肢が表示され、任意の選択肢を選ぶことができる。
「電源」操作ボタン１７４は、機器カテゴリで選択されたエアコンの電源のオン・オフを切り替えることができる。
「運転モード」選択部１７５は、機器カテゴリで選択されたエアコンの運転モードを選択することができる。
「温度設定」操作部１７６は、機器カテゴリで選択されたエアコンの温度を変更することができる。
「風量設定」操作部１７７は、機器カテゴリで選択されたエアコンの風量を変更することができる。
そして、決定ボタン１７８を押すと編集した設定が保存され、図１４の「シーンの状況」表示画面１５０における表示欄１５１に反映されることになる。また、キャンセルボタン１７９を押すと、編集した設定をクリアして初期状態にすることができる。
【０１３７】
図１７に示す表示画面１８０は、起床シーンのうち機器カテゴリで電動シャッターを選択した場合の編集画面である。この編集画面１８０には、「シーン名」編集部１８１と、「機器カテゴリ」プルダウンメニュー１８２と、「機器名」プルダウンメニュー１８３と、「開閉状態」操作ボタン１８４と、決定ボタン１８５と、キャンセルボタン１８６と、が表示されている。
「シーン名」編集部１８１は、シーン名（図１７で「起床シーン」）を押すと、文字入力用のキーボードが表示され、任意の文字を入力することができる。
「機器カテゴリ」プルダウンメニュー１８２は、右側端部の「▼」マーク１８２ａを押すと、「エアコン」や「電動シャッター」等の機器カテゴリの複数の選択肢が表示され、任意の選択肢を選ぶことができる。
「機器名」プルダウンメニュー１８３は、右側端部の「▼」マーク１８３ａを押すと、機器名の複数の選択肢が表示され、任意の選択肢を選ぶことができる。
「開閉状態」操作ボタン１８４は、機器カテゴリで選択された電動シャッターの電源の開・閉を切り替えることができる。
そして、決定ボタン１８５を押すと編集した設定が保存され、図１４の「シーンの状況」表示画面１５０における表示欄１５１に反映されることになる。また、キャンセルボタン１８６を押すと、編集した設定をクリアして初期状態にすることができる。
【０１３８】
図１８に示す表示画面は、図１３に示す「タイマーの状況」表示画面１４０において機器カテゴリ／機器名称表示領域１４２に表示された「＋」ボタンを押した場合の画面である。すなわち、機器のカテゴリと機器の名称とが併記された複数の表示欄のそれぞれが展開した状態となっている。なお、機器カテゴリ／機器名称表示領域１４２に表示された「−」ボタンを押すと、展開していた表示欄を元の状態にたたむことができる。
このように複数の表示欄のそれぞれを展開させた場合には、上記した「シーンの状況」に係る項目１４２ａ，１４２ｂが含まれている。すなわち、「シーンの状況」表示画面に表示された各操作ボタン１５１ａ〜１５７ａをタイマー設定できるようになっている。図１８に示す表示画面１４０では、詳細ボタン領域１４３の詳細ボタンを押すことで、図１９〜図２２に示すようなタイマー設定の編集画面を表示することができる。
【０１３９】
図１９〜図２２は、図１８に示す「タイマーの状況」表示画面１４０に表示された機器カテゴリ／機器名称表示領域１４２の各項目の設定を行うための画面である。
図１９に示す表示画面１９０は、機器カテゴリ／機器名称表示領域１４２の各項目の設定を行うための編集トップの画面である。
編集トップの画面１９０では、左側の「設定」の列における「編集」ボタン１９１を押すことで、図２１，図２２に示すような編集画面２１０，２２０を表示することができる。また、「追加」ボタン１９２を押すことで、図２０に示すような新規登録画面２００を表示することができる。
また、「削除」の列におけるチェックボックス１９３にチェックを入れて、「削除」ボタン１９４を押すことで、タイマー設定の削除を行うことができる。
右側の「設定」の列における切替ボタン１９５を操作することで、タイマー設定の有効・無効を切り替えることができる。この切替ボタン１９５を有効にすればタイマー（スケジュール）どおりに機器が作動し、無効にすればタイマー設定した時間がきても機器が作動しないようにすることができる。
【０１４０】
図２０に示す表示画面２００は、タイマーの新規登録画面である。この新規登録画面２００には、切替ボタン２０１と、繰り返しチェックボックス２０２と、「カテゴリ」プルダウンメニュー２０３と、「機器・シーン名」プルダウンメニュー２０４と、「タイマー名」編集部２０５と、タイマー一覧２０６と、登録ボタン２０７と、削除ボタン２０８と、戻るボタン２０９と、が表示されている。
切替ボタン２０１は、これから新規登録するタイマー設定の有効・無効を切り替えることができる。
繰り返しチェックボックス２０２は、これから新規登録するタイマー設定を繰り返し設定にするか、一回きりにするかを選択するためのものであり、繰り返し設定にする場合はチェックボックス２０２にチェックを入れる。
「カテゴリ」プルダウンメニュー２０３は、右側端部の「▼」マーク２０３ａを押すと、機器カテゴリの複数の選択肢が表示され、任意の選択肢を選ぶことができるものである。
「機器・シーン名」プルダウンメニュー２０４は、右側端部の「▼」マーク２０４ａを押すと、機器名又はシーン名の複数の選択肢が表示され、任意の選択肢を選ぶことができるものである。
「タイマー名」編集部２０５は、枠２０５ａを押して選択すると、文字入力用のキーボードが表示され、任意の文字を入力することができる。ユーザーは、タイマー名を決めて文字入力する。
タイマー一覧２０６は、同カテゴリ、同機器・シーン名、同タイマー名で設定したタイマー設定の一覧を表示する欄であり、追加ボタン２０６ａを押すと、曜日の選択、起動時刻の選択、設定した機器の動作の選択を行うことができる。それぞれ選択肢が適宜表示されるものとする。
そして、登録ボタン２０７を押すと編集した設定が保存され、「タイマーの状況」表示画面１４０に表示された機器カテゴリ／機器名称表示領域１４２の各項目に反映されることになる。削除ボタン２０８を押すと、編集した設定をクリアして初期状態にすることができる。また、戻るボタン２０９を押すと、編集した設定を保存せずに、図１９に示す編集トップの画面１９０に戻ることができる。
【０１４１】
図２１に示す表示画面２１０は、タイマーの変更画面である。この変更画面２１０には、切替ボタン２１１と、繰り返しチェックボックス２１２と、「カテゴリ」プルダウンメニュー２１３と、「機器・シーン名」プルダウンメニュー２１４と、「タイマー名」編集部２１５と、タイマー一覧２１６と、変更ボタン２１７と、削除ボタン２１８と、戻るボタン２１９ａと、一覧へ戻るボタン２１９ｂが表示されている。
なお、この表示画面２１０における操作方法は、基本的には、図２０に示す新規登録画面２００と画面操作方法が同じである。すなわち、切替ボタン２１１で有効・無効を切り替え、繰り返し動作するようにしたいのであれば繰り返しチェックボックス２１２にチェックを入れ、カテゴリや機器・シーン名は適宜選択し、タイマー名は適宜入力する。タイマー一覧２１６では、新規登録したい場合には追加ボタン２１６ａを押して新規登録を適宜行い、過去に登録した設定内容を編集したい場合には、編集ボタン２１６ｂを押して適宜編集を行う。また、以上の変更作業を完了させる場合には変更ボタン２１７を押し、編集した設定をクリアして初期状態にする場合は削除ボタン２１８を押す。編集した設定を保存せずに編集トップの画面１９０に戻る場合は戻るボタン２１９ａを押し、編集した設定を保留したまま編集トップの画面１９０に戻る場合は一覧へ移動ボタン２１９ｂを押す。
【０１４２】
図２２に示す表示画面２２０は、図２１とは異なるタイマー設定におけるタイマーの変更画面である。この変更画面２２０には、切替ボタン２２１と、繰り返しチェックボックス２２２と、「カテゴリ」プルダウンメニュー２２３と、「機器・シーン名」プルダウンメニュー２２４と、「タイマー名」編集部２２５と、タイマー一覧２２６と、変更ボタン２２７と、削除ボタン２２８と、戻るボタン２２９ａと、一覧へ戻るボタン２２９ｂが表示されている。
なお、基本的には、この表示画面２２０における操作方法は、図２１に示す表示面２１０と画面操作方法が同じである。すなわち、切替ボタン２２１で有効・無効を切り替え、繰り返し動作するようにしたいのであれば繰り返しチェックボックス２２２にチェックを入れ、カテゴリや機器・シーン名は適宜選択し、タイマー名は適宜入力する。タイマー一覧２２６では、新規登録したい場合には追加ボタン２２６ａを押して新規登録を適宜行い、過去に登録した設定内容を編集したい場合には、編集ボタン２２６ｂを押して適宜編集を行う。また、以上の変更作業を完了させる場合には変更ボタン２２７を押し、編集した設定をクリアして初期状態にする場合は削除ボタン２２８を押す。編集した設定を保存せずに編集トップの画面１９０に戻る場合は戻るボタン２２９ａを押し、編集した設定を保留したまま編集トップの画面１９０に戻る場合は一覧へ移動ボタン２２９ｂを押す。
【０１４３】
本変形例によれば、画面生成部によって生成されるとともに送信部によってデータが送信され、端末装置１０における表示装置に表示される各種の画面によって、上述のようなエネルギーに係る各種の情報を確認できたり、機器の操作を行うことができるので、電力を含むエネルギーの使用状況を改善しやすく、使用電力を容易に節約することができる。
【符号の説明】
【０１４４】
１  建物
２  外部サーバ
２ａ  サーバ本体
２ｂ  記憶部
２ｃ  管理端末
３  通信ネットワーク
４  ホームゲートウェイ
５  分電盤
５ａ  電力センサー
６  家庭内負荷
７  家庭内負荷
８  温湿度センサー
９ａ  通信線（無線通信）
９ｂ  電源線
１０  端末装置
２０  ブロック
２１  ブロック
２２  吹き出し枠
２３  ボタン
２４，２５，２６  領域
２７，２８，２９，３０，３１，３２  ボタン
３３，３４，３５，３６，３７，３８，３９，４０，４１  オブジェクト
３３ａ，３４ａ，３５ａ，３６ａ，３７ａ，３８ａ，４０ａ，４１ａ  ボタン
４２，４３，４４，４５  第一〜第四指標
４６  総使用電力表示欄
５１，５２，５３，５４，５５，５６，５７，５８，５９  オブジェクト
５１ａ，５２ａ，５３ａ，５４ａ，５５ａ，５６ａ，５８ａ，５９ａ  ボタン
６０，６１，６２，６３，６４  第一〜第五暑さ指標
６５  外部環境表示欄
６７，６８，６９，７０，７１  第一〜第五パターン
７２  現在値情報
【図１】
0006989335.tif 000002
【図２】
0006989335.tif 000003
【図３】
0006989335.tif 000004
【図４】
0006989335.tif 000005
【図５】
0006989335.tif 000006
【図６】
0006989335.tif 000007
【図７】
0006989335.tif 000008
【図８】
0006989335.tif 000009
【図９】
0006989335.tif 000010
【図１０】
0006989335.tif 000011
【図１１】
0006989335.tif 000012
【図１２】
0006989335.tif 000013
【図１３】
0006989335.tif 000014
【図１４】
0006989335.tif 000015
【図１５】
0006989335.tif 000016
【図１６】
0006989335.tif 000017
【図１７】
0006989335.tif 000018
【図１８】
0006989335.tif 000019
【図１９】
0006989335.tif 000020
【図２０】
0006989335.tif 000021
【図２１】
0006989335.tif 000022
【図２２】
0006989335.tif 000023